(57)【要約】【課題】公園で遊ぶ子供たちの熱中症の危険度を測定し、表示できる公園用熱中症対策設備を提供する。【解決手段】本発明の公園用熱中症対策設備は、子供の背丈の高さに設置された暑さ指数測定器の周囲を金網１１で囲んだ測定ユニット１０と、この暑さ指数測定器により測定された公園の暑さ指数を電光表示する表示ボード２４を備えた表示ユニット２０と、からなる。表示ボード２４は、幼児が理解可能な画像により危険度を表示することが好ましく、大人用の文字表示も併せて行うことが好ましい。【選択図】図１
2020038069.tif 000002
【特許請求の範囲】
【請求項１】
子供の背丈の高さに設置された暑さ指数測定器の周囲を金網で囲んだ測定ユニットと、
前記暑さ指数測定器により測定された公園の暑さ指数を電光表示する表示ボードを備えた表示ユニットと、からなることを特徴とする公園用熱中症対策設備。
【請求項２】
前記暑さ指数測定器は、乾球温度計と湿球温度計と黒球温度計と演算装置とを備えたものであることを特徴とする請求項１に記載の公園用熱中症対策設備。
【請求項３】
前記黒球温度計を、地表から９０〜１１０ｃｍの高さに設置したことを特徴とする請求項２に記載の公園用熱中症対策設備。
【請求項４】
前記演算装置は、測定データの記憶手段と、通信手段を備えたものであることを特徴とする請求項２または３に記載の公園用熱中症対策設備。
【請求項５】
前記表示ボードは、幼児が理解可能な画像により危険度を表示するものであることを特徴とする請求項１〜４の何れかに記載の公園用熱中症対策設備。
【発明の詳細な説明】
【技術分野】
【０００１】
本発明は、公園で遊ぶ子供たちを熱中症から守るために、公園の敷地内に設置される公園用熱中症対策設備に関するものである。
【背景技術】
【０００２】
最近の高温化傾向により、夏の暑い日に公園で遊ぶ子供たちにも、熱中症の危険が迫っている。夢中で遊んでいる子供たちは、体調の変化に気づきにくい。このため子供たちを公園で遊ばせてよいかどうかを父母や教師等の大人が判断しなければならないが、背丈の低い子供たちが大人よりも高い温度を感じていることに、大人は気づかないことが多い。特にベビーカーや車いすに乗せた子供はより地面に近い位置にいるために地表からの輻射熱の影響を受け易く、さらに危険度が高くなる。
【０００３】
熱中症の危険度の指標として、暑さ指数（ＷＢＧＴ）が知られている。暑さ指数は熱中症指数とも呼ばれ、環境省が全国各地の予測値及び現在値をホームページで発表している。暑さ指数が２１度以上で注意（積極的に水分補給）、２５度以上で警戒（積極的に休憩）、２８度以上で厳重警戒（激しい運動は中止）、３１度以上で危険（運動は原則中止）とされている。
【０００４】
暑さ指数を算出するには、黒球温度と湿球温度と乾球温度とが必要であり、暑さ指数=０.７×湿球温度＋０.２×黒球温度＋０.１×乾球温度の式により算出される。ここで黒球温度とは、直径１５ｃｍの薄肉銅球の中心に温度計を挿入して測定された温度である。銅球の表面には反射率が小さい黒色塗料が塗られており、直射日光にさらされた状態での体感温度と良い相関がある。
【０００５】
上記の暑さ指数を測定し、危険度を画面に表示できる小型の装置が、特許文献１に記載されている。この特許文献１の装置は高齢者施設の室内に設置されるものであり、暑さ指数の算出に必要な湿球温度や黒球温度を直接測定せず、相対湿度と気温のみを測定し、湿球温度や黒球温度を近似演算し、暑さ指数を近似的に算出している。しかし特許文献１の装置は室内での使用を前提としているものであり、また大人（高齢者）を対象としている。
【０００６】
このほかに、高熱作業に従事する作業者に携帯させて熱中症の危険度を知らせる携帯型の装置も開発されているが、何れも大人を対象としたものである。上記した黒球温度と湿球温度と乾球温度は地表から１.５ｍの高さで測定されるものであり、大人よりも地表に近い高さにある幼児を含む子供たちを意識したものではない。また、公園用に特化して熱中症の危険度を標示する装置はこれまで知られていない。
【先行技術文献】
【特許文献】
【０００７】
【特許文献１】特開２０１０−２６６３１８号公報
【発明の概要】
【発明が解決しようとする課題】
【０００８】
従って本発明の目的は上記した従来の問題点を解決し、公園で遊ぶ子供たちの熱中症の危険度を測定し、表示できる公園用熱中症対策設備を提供することである。
【課題を解決するための手段】
【０００９】
上記の課題を解決するためになされた本発明の公園用熱中症対策設備は、子供の背丈の高さに設置された暑さ指数測定器の周囲を金網で囲んだ測定ユニットと、前記暑さ指数測定器により測定された公園の暑さ指数を電光表示する表示ボードを備えた表示ユニットと、からなることを特徴とするものである。
【００１０】
なお、前記暑さ指数測定器は、乾球温度計と湿球温度計と黒球温度計と演算装置とを備えたものであり、前記黒球温度計を、地表から９０〜１１０ｃｍの高さに設置する。また、前記演算装置は、測定データの記憶手段と、通信手段を備えたものとすることができ、前記表示ボードは、幼児が理解可能な画像により危険度を表示するものであることが好ましい。
【発明の効果】
【００１１】
本発明の公園用熱中症対策設備は、子供の背丈の高さに設置された暑さ指数測定器を用い、子供が感じる体感温度に対応する暑さ指数を測定し、表示ボードに表示させることができる。このため大人が気付きにくい子供の環境に特化した熱中症の危険度を、子供たちや付き添ってきた大人達に知らせることができる。
【００１２】
また、暑さ指数測定器の周囲を金網で囲んだので、ボールがぶつかったり、子供が石を投げたりしても損傷することがない。
【００１３】
なお、演算装置が測定データの記憶手段と通信手段を備えたものとしておけば、現地に行かなくても公園の熱中症の危険度を知ることができ、子供を遊びに連れて行く場所を選択する上で便利である。また複数の公園を管理する地方自治体としても、危険度の高い公園の使用を禁止するなど、対策を講ずる上で便利である。
【００１４】
さらに、幼児が理解可能な画像により危険度を表示する表示ボードを用いれば、小さい子供であっても自発的に日陰に移動したり、水分補給を行ったりする、自衛行動を促すことも可能である。
【図面の簡単な説明】
【００１５】
【図１】本発明の実施形態を示す正面図である。
【図２】測定ユニットの正面図である。
【図３】測定ユニットの側面図である。
【図４】表示ユニットの正面図である。
【図５】表示画面の拡大図である。
【発明を実施するための形態】
【００１６】
以下に本発明の実施形態を説明する。
図１は実施形態の公園用熱中症対策設備を示す全体図であり、１０は測定ユニット、２０は表示ユニットである。この実施形態では測定ユニット１０と表示ユニット２０とが分離独立した構造であるが、両者を並列に配置した一体型としても差し支えない。これらの測定ユニット１０と表示ユニット２０は公園のフェンス３０に隣接させて配置することが好ましいが、設置位置は公園の敷地内において適宜選択することができる。ただし少なくとも測定ユニット１０は、終日、日陰にならない場所に設置することが好ましい。なお、１台の測定ユニット１０に対して、表示ユニット２０を複数台接続して、公園の複数個所で危険度の表示をさせることもできる。
【００１７】
図２、図３に示すように、測定ユニット１０は暑さ指数測定器の周囲を金網１１で囲んだものであり、支柱１２の上部に設置されている。支柱１２は高さ調節が可能なものとしてもよい。金網１１は内部の暑さ指数測定器にボールや石ころ等がぶつからないように保護するためのもので、子供が至近位置からボールや石を投げても変形しない強度を持たせることが好ましい。また屋外に設置されるものであるから、耐候性に優れた材質とする必要があり、本実施形態ではステンレスのメッシュを使用している。内部の器機を保護する観点からは、金網１１の目開きは細かいほど好ましいが、細かすぎると通風性を阻害したり、金網１１自体が太陽光で加熱されて輻射源となって測定誤差の原因となる可能性があるため、３〜１０ｃｍ程度の目開きとしておくことが好ましい。
【００１８】
指数測定器は、黒球温度計１３と、乾球温度計及び湿球温度計１４と、演算装置１５とから構成されている。黒球温度計１３は前記したように直径１５ｃｍの薄肉銅球の中心に温度計を挿入したものであり、その外表面には反射率が小さい黒色塗料が塗られている。本発明ではこの黒球温度計１３は子供の背丈の高さに設置するものとする。具体的には、三歳児男子の平均背丈が９６.８ｃｍであるから、子供の頭部が受ける輻射熱を考慮して、地表から９０〜１１０ｃｍの高さに設置するものとする。なお乾球温度計及び湿球温度計１４の高さは多少ずれていても測定値の誤差は小さいので、必ずしも９０〜１１０ｃｍの高さとする必要はない。
【００１９】
黒球温度と乾球温度と湿球温は演算装置１５に入力され、前記した、暑さ指数=０.７×湿球温度＋０.２×黒球温度＋０.１×乾球温度の式により、暑さ指数が演算される。なお、演算装置１５は測定データの記憶手段と通信手段を備えたものとすることが好ましい。測定データの記憶手段があれば、公園の管理者が過去のデータを読み取って今後の公園管理に役立てることができる。また、通信手段を備えたものとしておけば、遠隔地から公園の熱中症の危険度を知ることができ、子供を公園に連れて行くことができるかどうかを、決定することができる。また複数の公園を管理する地方自治体としても、便利である。
【００２０】
これらの記憶手段と通信手段はオプションであり本発明の必須の構成要件ではないが、表示ユニット２０は必須である。図４はその一例を示すもので、上段表示２１と下段表示２２とは通常の印刷表示であるが、中段表示２３は測定ユニット１０の暑さ指数測定器により測定された公園の暑さ指数を電光表示する表示ボード２４となっている。この実施形態では、上段表示２１は「熱中症を予防しよう！」と表示されている。また下段表示２２には、この表示が危険度の目安であることを表示してある。
【００２１】
図５は表示ボード２４の表示画面の拡大図である。この実施形態では、犬の表情の変化と、表示の点滅状態によって熱中症の危険度を５段階で表示している。犬の表情のように、幼児が理解可能な画像表示により危険度を表示することにすれば、小さい子供にも危険度を感じさせることができ、日陰に移動したり水分補給を行ったりする、自衛行動を促すうえで有利である。なおその側方に、大人用の文字表示を行うことが好ましい。大人はこの文字表示を読んで熱中症に対する認識を高めることができるから、大人に対する教育効果も期待することができる。
【００２２】
演算された暑さ指数が２０度未満である場合には、幼児を含む子供たちが公園で遊んでもほぼ安全であるため、電光表示は消灯されている。もちろん安全の表示を行ってもよい。暑さ指数が２１度以上になった場合には注意が必要であるため、汗を１粒描いた犬の顔の表示を点灯させ、注意を促す。なお大人用に、積極的に水分補給などの文字表示を行うことが好ましい。暑さ指数が２５度以上になった場合には警戒が必要であるため、汗を２粒描いた犬の顔の表示を点灯させ、警戒を促す。また、積極的に休憩を取るように、文字表示を行うことが好ましい。暑さ指数が２８度以上になると厳重警戒が必要であるため、汗を２粒描いた犬の顔を点滅させ、厳重警戒を促す。激しい運動は中止との文字表示を行うことが好ましい。さらに暑さ指数が３１度以上になると危険であるため、苦しい犬の顔の表示を点灯し、危険を知らせる。運動は中止して下さい等の文字表示を行うことが好ましい。このほか、暑さ指数の数値表示を加えることも可能である。
【００２３】
なお、上記した暑さ指数と電光表示との関係は一例であり、小さい子供の利用者が多い公園では、危険を知らせる暑さ指数をより低いレベルに設定するなどの調整を行ってもよい。これは演算装置１５に記憶されたプログラム上で、容易に変更可能である。
【００２４】
なお、表示ユニット２０の設置台数には制限があるため、公園内で遊んでいる子供たちが表示ボード２４の表示に気づかないおそれがある。そのため、暑さ指数が危険の領域に達した時には自動アナウンスにより木陰に移動するよう、公園内の子供達に知らせたり、公園の入口を自動的に閉じたりするようにしてもよい。
【００２５】
以上に説明したように、本発明の公園用熱中症対策設備によれば、公園で遊ぶ小さい子供達の熱中症の危険度を測定表示し、子供達の安全を守ることが可能となる。
【符号の説明】
【００２６】
１０  測定ユニット
１１  金網
１２  支柱
１３  黒球温度計
１４  乾球温度計及び湿球温度計
１５  演算装置
２０  表示ユニット
２１  上段表示
２２  下段表示
２３  中段表示
２４  表示ボード
３０  公園のフェンス
【図１】
2020038069.tif 000003
【図２】
2020038069.tif 000004
【図３】
2020038069.tif 000005
【図４】
2020038069.tif 000006
【図５】
2020038069.tif 000007